(57)【要約】【課題】アースパターンの形成領域を広げるとともにシールド板とアースパターンとの確実な接続を確保し、テレビターミナルの性能改善、特に高周波特性の向上を図ることにある。【解決手段】同軸ケーブルの芯線３を一対のバネ片３１ａにより挟持して回路基板３０の芯線パターン３８との導通を図る端子バネ３１に、当該端子バネ３１の上下開放端面を塞ぐ閉塞板３１ｂを端子バネ３１の基端部から備え、回路基板３０には当該端子バネ３１の周囲にアースパターン３７を設ける。【選択図】　　　　図２
2004031054.tif 000002
【特許請求の範囲】
【請求項１】
テレビ信号出力用の第１の同軸ケーブルが接続される同軸コネクタ部と、テレビ信号入力用の第２の同軸ケーブルが接続される入力接続部と、一面が開口する略箱形に形成され、少なくとも前記同軸コネクタ部を内部に収納するハウジングと、ハウジングの開口部を閉塞するとともに入力接続部を介して第２の同軸ケーブルのアース導体と導通するシールド板と、第２の同軸ケーブルの芯線が接続される端子バネ及びシールド板と接触する導通部材とが実装され、前記端子バネと前記同軸コネクタ部の内部接触子とを導通する芯線パターン及び前記導通部材と前記同軸コネクタ部の外部接触子とを導通するアースパターンが形成された回路基板とを備えたテレビターミナルであって、
前記端子バネは、第２の同軸ケーブルの芯線を挟持する一対のバネ片と、前記バネ片の基端部から備えられ一対のバネ片により形成される上下開放面の一部を塞ぐ閉塞板を具備することを特徴とするテレビターミナル。
【請求項２】
テレビ信号出力用の第１の同軸ケーブルが接続される同軸コネクタ部と、テレビ信号入力用の第２の同軸ケーブルが接続される入力接続部と、一面が開口する略箱形に形成され、少なくとも前記同軸コネクタ部を内部に収納するハウジングと、ハウジングの開口部を閉塞するとともに入力接続部を介して第２の同軸ケーブルのアース導体と導通するシールド板と、第２の同軸ケーブルの芯線が接続される端子バネ及びシールド板と接触する導通部材とが実装され、前記端子バネと前記同軸コネクタ部の内部接触子とを導通する芯線パターン及び前記導通部材と前記同軸コネクタ部の外部接触子とを導通するアースパターンが形成された回路基板とを備えたテレビターミナルであって、
前記端子バネは、第２の同軸ケーブルの芯線を挟持する一対のバネ片と前記バネ片の基端部から備えられ一対のバネ片により形成される上下開放面の何れか一方の開放面の一部を塞ぐ閉塞板とを具備すると共に、当該端子バネの周囲に前記閉塞板が備えられていない開放面から突出する芯線と回路基板との接触を防ぐカバー部材が備えられたことを特徴とするテレビターミナル。
【請求項３】
前記回路基板上において、前記外部接触子から延設された一対の接触片の間に前記内部接触子から延設された一の接触片が位置することを特徴とする請求項１又は２に記載のテレビターミナル。
【請求項４】
前記内部接触子の接触片は、内部接触子を構成する円筒体のほぼ中心線上に位置することを特徴とする請求項１又は２に記載のテレビターミナル。
【請求項５】
外部接触子から延設された一対の接触片が回路基板を挿通して前記シールド板の表面にて接触することを特徴とする請求項１乃至４の何れかに記載のテレビターミナル。
【請求項６】
外部接触子から延設された一対の接触片が回路基板を挿通して前記シールド板の裏面にかしめられたことを特徴とする請求項１乃至４の何れかに記載のテレビターミナル。
【請求項７】
前記アースパターンに実装された接触片を備えたナットに、第２の同軸ケーブルのアース導体を前記シールド板に接続するねじが螺合されたことを特徴とする請求項１乃至４の何れかに記載のテレビターミナル。
【請求項８】
前記ナットは、前記ハウジングの内面に埋設されたことを特徴とする請求項７に記載のテレビターミナル。
【請求項９】
前記導通部材は、前記シールド板に曲折形成された脚片を挟持する一対のバネ片からなることを特徴とする請求項１乃至８の何れかに記載のテレビターミナル。
【請求項１０】
他のテレビターミナル等へテレビ信号を分配する第３の同軸ケーブルが接続される出力接続部をさらに備え、第３の同軸ケーブルの芯線と導通する端子バネと第２の同軸ケーブルのテレビ信号を第３の同軸ケーブルに分配する分配回路が前記実装基板に形成されたことを特徴とする請求項１乃至９の何れかに記載のテレビターミナル。
【発明の詳細な説明】
【０００１】
【発明が属する技術分野】
本発明は、壁面のような造営面に埋設配設されてテレビ信号用の同軸ケーブルを接続するテレビターミナルに関する。
【０００２】
【従来の技術】
従来より、この種のテレビターミナルとして、例えば図１５及び図１６に示す構造のものが知られている。このテレビターミナルは、テレビ受像機の同軸ケーブル（以下、第１の同軸ケーブルと呼ぶ）の一端に取り付けられた図示しないプラグ（特開平６−２２３８９４号公報等参照）を接続する同軸コネクタ部Ａを前面に備え、テレビ放送受信用のアンテナ等との間を接続する同軸ケーブル（以下、第２の同軸ケーブルと呼ぶ）を接続する入力接続部Ｂ及び第２の同軸ケーブルからのテレビ信号を分配して他のテレビターミナル等との間を接続する同軸ケーブル（以下、第３の同軸ケーブルと呼ぶ）を接続する出力接続部Ｃを背面に備える。
【０００３】
このテレビターミナルのハウジング１０は合成樹脂製であり、背面が開口した略箱状に形成されている。なお、ハウジング１０の外形は、規格化された既製の埋込型の配線器具（例えば、ＪＩＳに規定される大角形連用配線器具など）の１個モジュール寸法の配線器具と合わせてある。
【０００４】
同軸コネクタ部Ａは、ボス部１１の前面から円柱状に凹設された凹部１４と、凹部１４中央の円柱部１２の中心部に設けられた穴部１３に配設される略円筒状の内部接触子１と、円柱部１２の外周に配設される略円筒状の外部接触子２とで構成されている。
【０００５】
上記外部接触子２は、図１７（ａ）に示すように背面側に延設された一対の接触片２ａを備える。また、内部接触子１は、図１７（ｂ）に示すように背面側に延設された一の接触片１ａを備える。二つの接触子１，２は、図１７（ｃ）に示すように外部接触子２の接触片２ａと内部接触子１の接触片１ａが９０°の回転角度をなすように配設される。
【０００６】
ハウジング１０の開口する背面には金属製のシールド板２０が取り付けられる。シールド板２０の４隅には、その先端がボス部１１の内面側に当接される脚片２１が垂設されている。シールド板２０の下側は略矩形状の切欠き２２を備える。この切欠き２２は、端子バネ３１を保護する合成樹脂製のカバー部材４０によってシールド板２０の内側から閉塞される。
【０００７】
カバー部材４０には、切欠き２２の内側にあてがわれるカバー板４１の背面側に切欠き２２に収まる角枠状の突部４２が２つ形成され、突部４２内のカバー板４１に形成された貫通孔４３（図２０参照）を通じて、第２の同軸ケーブルの芯線若しくは第３の同軸ケーブルの芯線が挿入される。また、突部４２の背面側には芯線の挿入を誘導する導入カバー部４４を備える。なお、図１６においてはカバー部材４０は略されている。
【０００８】
カバー板４１の前面側には、端子バネ３１の周囲を囲む角枠状の枠部４５が２つ形成されている。これら２つの枠部４５の上面は連接され、連接された上面中央には回路基板３０に当接する当接片４６が突設されている。また、カバー板４１の両端中央にも回路基板３０に当接する一対の当接片４７が突設されている。
【０００９】
シールド板２０の軸支片２３には、第２の同軸ケーブル及び第３の同軸ケーブルを張力止めする押さえ金具２４が回動自在に取り付けられる。この押さえ金具２４の基端部には、先端が各々外側に折曲された一対の柩支片（図示せず）が形成され、押さえ金具２４は柩支片の切込部（図示せず）にかしめてシールド板２０に回動自在に取り付けられる。押さえ金具２４の先端部には、円弧状に曲成された挟持部２４ａが２つ形成され、この挟持部２４ａでそれぞれ第２の同軸ケーブル及び第３の同軸ケーブルを挟み込むようになっている。２つの挟持部２４ａの間には、ねじ２５が抜け止め状態に備えられており、ねじ２５をシールド板２０のねじ孔２７に螺合して第２の同軸ケーブル及び第３の同軸ケーブルを固定する。なお、２６はシールド板２０の固定部材であり、ハウジング１０の側面に形成された係止部１５に係止される。
【００１０】
また、ハウジング１０内のシールド板２０及びカバー部材４０とボス部１１の背面との間には、一方の面にアースパターン３７及び芯線パターン３８が形成された回路基板３０が収納される。回路基板３０は、シールド板２０とアースパターン３７を電気的に接続するとともに外部接触子２とアースパターン３７とを電気的に接続する。また、回路基板３０は２つの端子バネ３１及びコイル（図示しない）を備え、芯線パターン３８と内部接触子１とを電気的に接続するとともに、端子バネ３１と芯線パターン３８とを電気的に接続し、第２の同軸ケーブルからのテレビ信号を内部接触子１と第３の同軸ケーブルとに分配している。外部接触子２の接触片２ａはスルーホール３６にてアースパターン３７にはんだ付けされ、内部接触子１の接触片１ａはスルーホール３５にて芯線パターン３８にはんだ付けされる。
【００１１】
端子バネ３１は、図１８に示す如く一対のバネ片３１ａからなり、一対のバネ片３１ａが同軸ケーブルの芯線３を挟み込む。また、バネ片３１ａの上開放面には閉塞板３１ｂを備える。この閉塞板３１ｂは、バネ片３１ａの基端部から開放面を部分的に塞ぐように備えられ、バネ片３１ａ間の開きを抑え芯線３との接続が甘くなるのを防ぐ。この端子バネ３１と押さえ金具２４及びシールド板２０とによって、入力接続部Ｂ及び出力接続部Ｃがそれぞれ構成されている。すなわち、入力接続部Ｂと出力接続部Ｃは同じ構成をしている。
【００１２】
アースパターン３７とシールド板２０との接続は、回路基板３０の４隅に備えられた略Ｕ字形状をした第１の接触バネ３２と回路基板３０の中央部近くに備えられたくの字形状をした第２の接触バネ３３とによる。第１の接触バネ３２は、回路基板３０に垂直に配設され、シールド板２０の当接片４６の側面に接触する。また、第２の接触バネ３３は、シールド板２０のほぼ中央に接触する。こうして、アースパターン３７とシールド板２０との接続が確保される。
【００１３】
芯線パターン３８は、例えば図１９に示す如く、ほぼ線状に形成され、内部接触子１と端子バネ３１と図示しないコイルを接続する。アースパターン３７は、芯線パターン３８との絶縁を図りながら、残る領域に広く形成され、外部接触子２と第１の接触バネ３２及び第２の接触バネ３３を接続する。
【００１４】
このテレビターミナルは、次のようにして組み立てられる。ハウジング１０の前面から内部接触子１及び外部接触子２を挿入し、接触片２ａをボス部１１背面の貫通穴（図示せず）に挿通する。一方ハウジング１０の裏面からは、回路基板３０をボス部１１背面の支持部１６に当接するまで押し込み、回路基板３０のスルーホールに外部接触子２及び内部接触子１の接触片２ａを挿通した上で、回路基板３０にはんだ付けする。次に、端子バネ３１を覆うようにカバー部材４０を収納し、当接片４６，４７を回路基板３０に当接させる。その後、シールド板２０を収納して固定部材２６を係止部１５に係止し、テレビターミナルを組み立てる。こうして、シールド板２０は脚片２１と第１の接触バネ３２及びアースパターン３７を介して外部接触子２と電気的に接続される。
【００１５】
【発明が解決しようとする課題】
しかしながら、このテレビターミナルにおいては、次のような問題点があった。まず第１に、上記端子バネ３１には閉塞板３１ｂはバネ片３１ａの一方開放面（上記の例では上面）にのみ備えられ、反対側の開放面が開放されたままとなっている。また、端子バネ３１はカバー部材４０の枠部４５に覆われるが、カバー部材４０と枠部４５の前面と間には、当接片４６，４７によって間隙が形成される。従って、図２０に示す如く、芯線３を端子バネ３１に挿入した場合には、芯線３の先端が端子バネ３１の反対側開放面及び前記間隙から飛び出て回路基板３０に接触する場合があった。回路基板３０に形成されるアースパターン３７は出来る限り広く形成するのが望ましいが、この接触を避けるために、図１９の梨地領域に示す如く、端子バネ３１の下開放面側にはアースパターン３７を形成することができなかった。
【００１６】
次に、アースパターン３７とシールド板２０との接続は２つの接触バネ３２，３３によって行われているが、この接続は回路基板３０のスルーホール（図示しない）を介して行われ、比較的大きな接続領域を確保しなければならない。また、アースパターン３７と４隅にある第１の接触バネ３２のみで接続を行うこともできるが、内部接触子１との接続を考慮すれば出来る限りシールド板２０の中央部で接触を確保するのが望ましい。そのため、図示例では第２の接触バネ３３によってシールド板２０との接触を確保している。
【００１７】
しかし、このように第２の接触バネ３３を用いると、アースパターン３７の形成領域が大きく制約されることになり、パターンの自由度が低下する。従って、第２の接触バネ３３を用いることなく、シールド板２０の中央部で接続を確保することが望まれる。
【００１８】
第３に、第１の接触バネ３２のばらつきにより接触圧が弱いものが用いられ、あるいは製造不良等による再組立てが行われて接触圧が弱くなり、不良品や経年劣化が著しいものが発生する可能性があった。また、このような接触圧を利用した接触バネ３２を用いる構造であれば、高周波領域における導通が悪くなり、高周波特性を低下させるおそれもあった。
【００１９】
第４に、配線作業を考慮して、内部接触子１の接触片１ａと外部接触子２の接触片２ａは、図１７（ｃ）に示す如く略９０°の回転角をなすようにそれぞれ芯線パターン３８とアースパターン３７との接続が行われている。このため、内部接触子１と外部接触子２間の特性インピーダンスの整合を図りにくいと言った問題もあった。
【００２０】
本発明は、上記従来技術の問題点に鑑みてなされたものであって、その目的とするところはアースパターンの形成領域を広げるとともにシールド板とアースパターンとの確実な接続を確保し、テレビターミナルの性能改善、特に高周波特性の向上を図ることにある。
【００２１】
【課題を解決するための手段】
本発明のテレビターミナルは、テレビ信号出力用の第１の同軸ケーブルが接続される同軸コネクタ部と、テレビ信号入力用の第２の同軸ケーブルが接続される入力接続部と、一面が開口する略箱形に形成され、少なくとも前記同軸コネクタ部を内部に収納するハウジングと、ハウジングの開口部を閉塞するとともに入力接続部を介して第２の同軸ケーブルのアース導体と導通するシールド板と、第２の同軸ケーブルの芯線が接続される端子バネ及びシールド板と接触する導通部材とが実装され、前記端子バネと前記同軸コネクタ部の内部接触子とを導通する芯線パターン及び前記導通部材と前記同軸コネクタ部の外部接触子とを導通するアースパターンが形成された回路基板とを備えたテレビターミナルであって、前記端子バネは、第２の同軸ケーブルの芯線を挟持する一対のバネ片と、前記バネ片の基端部から備えられ一対のバネ片により形成される上下開放面の一部を塞ぐ閉塞板を具備することを特徴としている。
【００２２】
また、本発明のテレビターミナルは、テレビ信号出力用の第１の同軸ケーブルが接続される同軸コネクタ部と、テレビ信号入力用の第２の同軸ケーブルが接続される入力接続部と、一面が開口する略箱形に形成され、少なくとも前記同軸コネクタ部を内部に収納するハウジングと、ハウジングの開口部を閉塞するとともに入力接続部を介して第２の同軸ケーブルのアース導体と導通するシールド板と、第２の同軸ケーブルの芯線が接続される端子バネ及びシールド板と接触する導通部材とが実装され、前記端子バネと前記同軸コネクタ部の内部接触子とを導通する芯線パターン及び前記導通部材と前記同軸コネクタ部の外部接触子とを導通するアースパターンが形成された回路基板とを備えたテレビターミナルであって、前記端子バネは、第２の同軸ケーブルの芯線を挟持する一対のバネ片と前記バネ片の基端部から備えられ一対のバネ片により形成される上下開放面の何れか一方の開放面の一部を塞ぐ閉塞板とを具備すると共に、当該端子バネの周囲に前記閉塞板が備えられていない開放面から突出する芯線と回路基板との接触を防ぐカバー部材が備えられたことを特徴としている。
【００２３】
これらのテレビターミナルでは、前記回路基板上において、前記外部接触子から延設された一対の接触片の間に前記内部接触子から延設された一の接触片を位置させるのが好ましい。
【００２４】
また、前記内部接触子の接触片を、内部接触子を構成する円筒体のほぼ中心線上に位置させるのも好ましい。
【００２５】
また、これらのテレビターミナルにあっては、外部接触子から延設された一対の接触片を回路基板を挿通させて前記シールド板の表面にて接触させる、あるいは外部接触子から延設された一対の接触片を回路基板を挿通させて前記シールド板の裏面にかしめるのがよい。
【００２６】
あるいは、前記アースパターンに実装された接触片を備えたナットに、前記第２の同軸ケーブルのアース導体をシールド板にねじ止めするねじを螺合してもよい。このとき、ナットは、例えば前記ハウジングの内面に埋設できる。
【００２７】
さらに、上記のテレビターミナルでは、前記導通部材を、前記シールド板に曲折形成された脚片を挟持する一対のバネ片から構成してもよい。
【００２８】
また、他のテレビターミナル等へテレビ信号を分配する第３の同軸ケーブルが接続される出力接続部をさらに備え、第３の同軸ケーブルの芯線と導通する端子バネと第２の同軸ケーブルのテレビ信号を第３の同軸ケーブルに分配する分配回路を前記実装基板に形成することもできる。
【００２９】
【発明の実施の形態】
以下各図を参照しながら本発明について詳細に説明するが、本発明のテレビコンセントの主要な構成は従来例と同様であって、従来例と同じ部分には同じ符号を付し、その説明については省略する。
【００３０】
図１は本発明の第１の実施形態を示す図であって、端子バネ３１の上下開放面に閉塞板３１ｂを備えたものである。下面の閉塞板３１ｂは、バネ片３１ａの基端部から備えられる。この結果、図１に示すように、芯線３の先端が下面の閉塞板３１ｂによってその突出が抑えられ、回路基板３０との接触が妨げられる。しかして、回路基板３０には、従来ではアースパターン３７が形成できなかった領域に、図２に示す如くアースパターン３７を形成できる。こうして、アースパターン３７の形成領域を広げることができる。
【００３１】
図３は第２の実施形態を示す図であって、カバー部材４０の枠部４５の上面先端が回路基板３０方に延設され、回路基板３０との間隙を無くしている。この実施形態においては、図４に示す如く延設された可動制御板４８が芯線３の突出を抑えている。しかして、回路基板３０には、芯線３の突出が抑えられた範囲内にてアースパターン３７を形成できる。この場合には、第１の実施形態に比して少ないもののアースパターン３７の形成領域を広げることができる。なお、図示例では可動制御板４８と当接片４６は分離された状態であるが、可動制御板４８と当接片４６を一体化し、回路基板３０に当接する庇のように形成してもよい。
【００３２】
図５は第３の実施形態を示す図である。この実施形態は、上記第１の実施形態若しくは第２の実施形態であるテレビコンセントにおいて、内部接触子１の接触片２ａと外部接触子２の接触片２ａが略平行になるように配置されたものである。高周波信号の伝送線路としては、信号線の上方若しくは下方にアース線があるか、もしくはアース線の間に信号線がある方が、広帯域にわたって良好なインピーダンス特性を持つことが知られている。従って、図５に示すごとく、従来例のものから内部接触子１を略９０°回転させた状態で備え付け、信号線である内部接触子１の接触片２ａの間にアース線である外部接触子２の接触片２ａを位置させることにより、良好なインピーダンス特性を得ることができる。また、この場合には、第２の接触バネ３３を不要にしても差し支えなく、アースパターン３７の自由度を広げられる。
【００３３】
図５は第４の実施形態を示す図である。この内部接触子１は、内部接触子１の背面側から延設された接触片２ａが２段に折り曲げられ、図６に示す如く接触片２ａの端部、すなわち、回路基板３０のスルーホール３５への挿入部分が、内部接触子１のほぼ円筒中心部に位置するように形成されている。このような内部接触子１を用いることで、外部接触子２の接触片２ａが内部接触子１の接触片１ａを対称線とする対称位置に配置され、より一層良好なインピーダンス特性を得ることができる。
【００３４】
また、図７に示す第５の実施形態においては、内部接触子１の接触片２ａの端部は、内部接触子１の背面が円筒中心部に絞り込まれるようにして内部接触子１の円筒中心部に位置している。このような形状の内部接触子１に形成して、内部接触子１の接触片１ａの両側に外部接触子２の接触片２ａを平行かつ接触片１ａを中心線とする対称位置に配置することもできる。
【００３５】
図８及び図９は第６の実施形態を示す図である。これらの実施形態においては、第２の接触バネ３３の替わりに外部接触子２の接触片２ａをシールド板２０に接触させて電気的接続を確保したものである。第６の実施形態では、接触片２ａが直接シールド板２０に接触する長さに延設され、外側に曲折された接触片２ａの先端２ｂがシールド板２０の表面にて接触している。また、外部接触子２の接地を確実にするために、回路基板３０のスルーホール３６にてアースパターン３７とはんだ付けされている。
【００３６】
また、図１０に示す第７の実施形態は、長く延設された接触片２ａがシールド板２０のスルーホール２８を挿通し、同図（ｂ）に示す如くシールド板２０の背面側にてかしめられシールド板２０と接続されている。また、この接触片２ａも回路基板３０のスルーホールにてアースパターン３７とはんだ付けされている。
【００３７】
これら第６及び第７の実施形態においては、外部接触子２が第２の接触バネ３３の機能を果たし、部品点数が削減される。なお、図８、図１０ではシールド板２０と外部接触子２を模式的に描いたものであって、図示した位置にて回路基板３０と外部接触子２とがはんだ付けされることを示すものではない。また、図９においてはカバー部材４０は省略されている（次に示す図１１も同様）。
【００３８】
図１１は第８の実施形態を示す図である。この実施形態は、押さえ金具２４のねじ止めに用いられるねじ２５と当該ねじ２５と螺合する接続用ナット５を利用して、シールド板２０との電気的接続を確保したものである。すなわち、接続用ナット５は、図１２に示すように、アースパターン３７と電気的に接続される１対の接触片５ａをナット部５ｂの表面若しくは裏面のいずれか一面に持つ。接触片５ａは、ボス部１１の内面に突設された凸部１７に埋設され、ナット部５ｂから突出した接触片５ａが回路基板３０のスルーホール３９を通じてアースパターン３７にはんだ付けされる。このような接続用ナット５を用いることにより、ねじ２５を利用してシールド板２０との電気的接続を確保できる。このため、第２の接触ばね３３が不要になると共に、より確実な導通を図ることができる。なお、接続用ナット５はインサート成形により簡単確実にハウジング１に埋設することができ、組立ても容易に行える。
【００３９】
図１３は第９の実施形態を示す図である。上記各実施態様では、Ｕ字形状を用いた第１の接触バネ３２を用いてシールド板２０との接続を図ったものを前提とするものであった。当該実施形態は、第１の接触バネ３２の代替として、シールド板２０の脚片２１を挟み込む接触バネ２９を用いたものである。接触バネ２９は一対のバネ片２９ａからなり、該バネ片２９ａが脚片２１を挟み込むことにより、シールド板２０とアースパターン３７との電気的接続を行う。つまり、接触バネ２９は回路基板３０に実装されることにより、アースパターン３７との接続が確保されている。脚片２１は、従来例のものよりも短く、シールド板２０は接触バネ２９を介して回路基板３０に当接される。これによれば、Ｕ字形状をした接触バネ３２の側面で接続する場合に比べて導通の確実性が飛躍的に高くなる。
【００４０】
このように本発明においては、アースパターン３７の形成領域が増えることにより高周波数特性に優れたテレビターミナルを提供できる。また、内部接触子１の接触片１ａと外部接触子２の接触片２ａの実装方法が工夫され、さらに、外部接触子２の接触片２ａとシールド板２０との接続がより確実に行われており、より一層の特性向上が図られている。また、シールド板２０を脚片２１を挟み込む接触バネ２９が用いられているので、従来の第１の接触バネ３２の側面にて脚片２１と接触させる構造に比べて、接触が確実なものとなりより信頼性の高いテレビターミナルが提供される。
【００４１】
また、本発明は上記実施形態に限定されるものではなく、本発明の技術的思想を逸脱しない範囲で種々の変更が可能なものである。特に、上記実施形態では、第３の同軸ケーブルが接続される出力接続部Ｃを備えた分配型のテレビターミナルについて説明したが、必ずしも出力接続部Ｃは必須のものではなく、回路基板を介して入力接続部Ｂと同軸コネクタ部Ａとが電気的に接続される非分配型のテレビターミナルについても適用可能なものである。
【００４２】
【発明の効果】
請求項１に記載のテレビターミナルは、端子バネの上下開放面の一部を塞ぐ閉塞板を備えているので、該端子バネに挿入挟持された芯線の可動範囲が端子バネ内に抑えられる。このために、従来では端子バネ周囲のアースパターンが形成できなかった領域にも、新たにアースパターンを設けることができる。
【００４３】
また、請求項２に記載のテレビターミナルは、端子バネの周囲に、閉塞板が備えられていない端子バネの開放面から突出する芯線と回路基板との接触を防ぐカバー部材を備えてるので、当該カバー部材によって接触が防がれた領域にアースパターンを設けることができる。
【００４４】
このように本発明のテレビターミナルにおいては、従来例に比べて広い領域にアースパターンを形成できる。この結果、周波数特性に優れたテレビターミナルを提供できる。
【００４５】
次に、請求項３記載のテレビターミナルでは、外部接触子から延設された一対の接触片の間に前記内部接触子から延設された一の接触片が位置しているので、広い周波数帯域において良好な特性インピーダンスを持つことができる。
【００４６】
また、請求項４記載のテレビターミナルは、内部接触子の接触片が、内部接触子を構成する円筒体のほぼ中心線上に位置しているので、請求項３記載のテレビターミナルの比べてさらに良好な特性インピーダンスを持つことができる。
【００４７】
請求項５記載のテレビターミナルは、外部接触子から延設された一対の接触片が回路基板を挿通して前記シールド板の表面にて接触しているので、外部接触子とシールド板とが直接電気的に接続され、伝送線路長が短くなる。また、シールド板のほぼ中央にて接地ポイントが構成されるため、より一層高周波特性がよくなる。さらに、第２の接触バネが不要になるので、回路基板上の自由度が高くなると共に部品点数が削減され、低コスト化を図ることができる。
【００４８】
また、請求項６記載のテレビターミナルは、外部接触子から延設された一対の接触片が回路基板を挿通して前記シールド板の裏面にかしめられているので、請求項５記載のテレビターミナルと同様に伝送線路長が短くなり、より一層の特性向上が図られる。それと同時に部品点数が削減され、低コスト化を図ることができる。
【００４９】
請求項７に記載のテレビターミナルは、アースパターンに実装された接触片を備えたナットに、第２の同軸ケーブルのアース導体をシールド板にねじ止めするねじが螺合されているので、ねじによってシールド板とアースパターンとが直接接続され、確実な導通が図られる。また、シールド板のほぼ中央にて接地ポイントが構成され、より一層の特性向上が望まれる。さらに、第２の接触バネが不要になるので、回路基板上の自由度が高められる。この場合、請求項８に記載のテレビターミナルのように、ナットをハウジングの内面に埋設しておくことにより、確実にねじ止めを行え、またインサート成形により簡単にハウジングを成形できる。
【００５０】
さらに、請求項９に記載のテレビターミナルでは、前記導通部材が、前記シールド板に曲折形成された脚片を挟持する一対のバネ片から構成されているので、シールド板と回路基板上のアースパターンとが確実に導通され、テレビターミナルの信頼性が飛躍的に向上する。
【００５１】
また、請求項１０に記載のテレビターミナルでは、他のテレビターミナル等へテレビ信号を分配する第３の同軸ケーブルが接続される出力接続部をさらに備えているので、テレビターミナルを数個直列に繋いだとしても映像劣化が少なく、画像の美しいテレビ信号配信システムを提供できる。
【図面の簡単な説明】
【図１】第１の実施形態であるテレビターミナルの接続部を示す図である。
【図２】第１の実施形態であるテレビターミナルにおけるアースパターンの一例を示す図である。
【図３】第２の実施形態であるテレビターミナルのカバー部材を示す斜視図である。
【図４】第２の実施形態であるテレビターミナルの接続部を示す図である。
【図５】第３の実施形態であるテレビターミナルにおける外部接触子の接触片と内部接続子の接触片２ａの位置関係を示す図であって、（ａ）はその斜視図、（ｂ）は正面図である。
【図６】第４の実施形態であるテレビターミナルの内部接触子１の斜視図である。
【図７】第４の実施形態であるテレビターミナルにおける外部接触子の接触片と内部接続子の接触片の位置関係を示す正面図である。
【図８】第５の実施形態であるテレビターミナルの内部接触子の斜視図である。
【図９】第６の実施形態であるテレビターミナルにおける外部接触子とシールド板との接続を示す斜視図である。
【図１０】第６の実施形態であるテレビターミナルの平面断面図である。
【図１１】第７の実施形態であるテレビターミナルにおける外部接触子とシールド板との接続を示す図であって、（ａ）は斜視図、（ｂ）は背面図である。
【図１２】第８の実施形態であるテレビターミナルの平面断面図である。
【図１３】（ａ）は第８の実施形態であるテレビターミナルに用いられる接続用ナットの平面図、（ｂ）は当該接続用ナットの側面図である。
【図１４】第９の実施形態であるテレビターミナルにおけるシールド板の保持構造を示す一部破断した平面断面図である。
【図１５】従来例のテレビターミナルの分解斜視図である。
【図１６】同上のテレビターミナルの平面断面図である。
【図１７】（ａ）は同上のテレビターミナルにおける内部接触子の斜視図、（ｂ）は外部接触子の斜視図、（ｃ）は外部接触子の接触片と内部接続子の接触片の位置関係を示す正面図である。
【図１８】（ａ）は端子バネの側面図、（ｂ）は端子バネの下面図である。
【図１９】同上のテレビターミナルにおける問題点を示す説明図である。
【図２０】同上の回路基板における配線パターンの一部を示す図である。
【符号の説明】
１　内部接触子
２　外部接触子
１０　ハウジング
２０　シールド板
３０　回路基板
３１　端子バネ
３１ｂ　端子バネの上下開放面を塞ぐ閉塞板
３６　外部接触子の接触片をはんだ付けするためのスルーホール
３７　アースパターン
４０　端子バネを囲むカバー部材
４６　カバー部材を回路基板に当接する当接片
【図１】
2004031054.tif 000003
【図２】
2004031054.tif 000004
【図３】
2004031054.tif 000005
【図４】
2004031054.tif 000006
【図５】
2004031054.tif 000007
【図６】
2004031054.tif 000008
【図７】
2004031054.tif 000009
【図８】
2004031054.tif 000010
【図９】
2004031054.tif 000011
【図１０】
2004031054.tif 000012
【図１１】
2004031054.tif 000013
【図１２】
2004031054.tif 000014
【図１３】
2004031054.tif 000015
【図１４】
2004031054.tif 000016
【図１５】
2004031054.tif 000017
【図１６】
2004031054.tif 000018
【図１７】
2004031054.tif 000019
【図１８】
2004031054.tif 000020
【図１９】
2004031054.tif 000021
【図２０】
2004031054.tif 000022